(57)【特許請求の範囲】
【請求項１】
圧縮機（21）と、室内熱交換器（22）と、室外熱交換器（24）と、該室内熱交換器（22）の液端と該室外熱交換器（24）の液端とを接続する液冷媒通路（PR1）に設けられた膨張弁（23）とを有する冷媒回路（20）と、
上記冷媒回路（20）において上記圧縮機（21）の吐出側に接続され、該圧縮機（21）から吐出された冷媒と水とを熱交換させる冷媒/水熱交換器（40）と、
上記冷媒回路（20）において上記室内熱交換器（22）のガス側に接続され、上記冷媒/水熱交換器（40）および上記室内熱交換器（22）が凝縮器となり上記室外熱交換器（24）が蒸発器となる給湯暖房運転において、上記冷媒/水熱交換器（40）を通過した冷媒をガス冷媒と液冷媒とに分離し、該ガス冷媒を上記室内熱交換器（22）のガス側へ供給し、該液冷媒を上記液冷媒通路（PR1）へ供給することができるように構成されている気液分離器（50）と、
上記気液分離器（50）から上記液冷媒通路（PR1）へ供給される液冷媒の流量を調節可能な流量調節弁（51）と、
制御部（60）とを備え、
上記制御部（60）は、上記給湯暖房運転において、上記室外熱交換器（24）の液側冷媒温度が該室外熱交換器（24）の吸込空気温度よりも低く、且つ、該室外熱交換器（24）の液側冷媒温度と該室外熱交換器（24）の吸込空気温度との差が予め設定された温度差閾値を大きくなっている場合に、上記流量調節弁（51）の開度を増加させる
ことを特徴とする給湯空調システム。
【請求項２】
圧縮機（21）と、室内熱交換器（22）と、室外熱交換器（24）と、該室内熱交換器（22）の液端と該室外熱交換器（24）の液端とを接続する液冷媒通路（PR1）に設けられた膨張弁（23）とを有する冷媒回路（20）と、
上記冷媒回路（20）において上記圧縮機（21）の吐出側に接続され、該圧縮機（21）から吐出された冷媒と水とを熱交換させる冷媒/水熱交換器（40）と、
上記冷媒回路（20）において上記室内熱交換器（22）のガス側に接続され、上記冷媒/水熱交換器（40）および上記室内熱交換器（22）が凝縮器となり上記室外熱交換器（24）が蒸発器となる給湯暖房運転において、上記冷媒/水熱交換器（40）を通過した冷媒をガス冷媒と液冷媒とに分離し、該ガス冷媒を上記室内熱交換器（22）のガス側へ供給し、該液冷媒を上記液冷媒通路（PR1）へ供給することができるように構成されている気液分離器（50）と、
上記気液分離器（50）から上記液冷媒通路（PR1）へ供給される液冷媒の流量を調節可能な流量調節弁（51）と、
上記冷媒回路（20）において上記圧縮機（21）と上記冷媒/水熱交換器（40）との間に接続されるとともに、該冷媒回路（20）において上記気液分離器（50）と上記室内熱交換器（22）との間に接続され、該圧縮機（21）と該冷媒/水熱交換器（40）との間を流れる冷媒と該気液分離器（50）と該室内熱交換器（22）との間を流れる冷媒とを熱交換させる補助熱交換器（70）と、
制御部（60）とを備え、
上記制御部（60）は、上記給湯暖房運転において、上記気液分離器（50）と上記補助熱交換器（70）との間を流れる冷媒の温度と該補助熱交換器（70）と上記室内熱交換器（22）との間を流れる冷媒の温度との差が予め設定された温度差閾値よりも小さくなっている場合に、上記流量調節弁（51）の開度を増加させる
ことを特徴とする給湯空調システム。
【請求項３】
請求項１または２において、
上記液冷媒通路（PR1）は、上記室内熱交換器（22）の液端と上記膨張弁（23）とを接続する第１通路部（PR11）と、該膨張弁（23）と上記室内熱交換器（22）の液端とを接続する第２通路部（PR12）とを有し、
上記気液分離器（50）は、上記液冷媒を上記液冷媒通路（PR1）の第１通路部（PR11）に供給することができるように構成されている
ことを特徴とする給湯空調システム。
【請求項４】
請求項１または２において、
上記液冷媒通路（PR1）は、上記室内熱交換器（22）の液端と上記膨張弁（23）とを接続する第１通路部（PR11）と、該膨張弁（23）と上記室内熱交換器（22）の液端とを接続する第２通路部（PR12）とを有し、
上記気液分離器（50）は、上記液冷媒を上記液冷媒通路（PR1）の第２通路部（PR12）に供給することができるように構成されている
ことを特徴とする給湯空調システム。
【発明の詳細な説明】
【技術分野】
【０００１】
この発明は、冷媒と水とを熱交換させる冷媒/水熱交換器を備えた給湯空調システムに関する。
【背景技術】
【０００２】
従来、室内の空調と給湯とを行う給湯空調システムが知られている。例えば、特許文献１には、冷媒回路において圧縮機と四方切換弁との間に給湯熱交換器（冷媒/水熱交換器）が設けられたヒートポンプシステムが記載されている。このヒートポンプシステムの暖房運転では、圧縮機から吐出された冷媒は、給湯熱交換器において水に放熱した後に、室内熱交換器において室内空気に放熱する。これにより、給湯熱交換器において水が加熱されて温水が生成され、室内熱交換器において室内空気が加熱されて室内が暖房される。
【先行技術文献】
【特許文献】
【０００３】
【特許文献１】特開２００９−９２２５１号公報
【発明の概要】
【発明が解決しようとする課題】
【０００４】
しかしながら、特許文献１のヒートポンプシステムの給湯暖房運転（すなわち、給湯熱交換器および室内熱交換器が凝縮器となる暖房運転）では、圧縮機から吐出された冷媒が給湯熱交換器（冷媒/水熱交換器）において凝縮した後に室内熱交換器に流入するので、室内熱交換器における液冷媒の割合が高くなるとともにガス冷媒の割合が低くなる（すなわち、室内熱交換器に液冷媒が溜まり込む）ことになる。このように、室内熱交換器において液溜まり（液冷媒の溜まり込み）が発生すると、室内熱交換器の加熱能力（冷媒の単位時間当たりの放熱量）が低下し、その結果、室内の暖房を正常に行うことが困難となるおそれがある。
【０００５】
そこで、この発明は、室内熱交換器の液溜まりに起因する室内熱交換器の加熱能力の低下を抑制することが可能な給湯空調システムを提供することを目的とする。
【課題を解決するための手段】
【０００６】
第１の発明は、圧縮機（21）と、室内熱交換器（22）と、室外熱交換器（24）と、該室内熱交換器（22）の液端と該室外熱交換器（24）の液端とを接続する液冷媒通路（PR1）に設けられた膨張弁（23）とを有する冷媒回路（20）と、上記冷媒回路（20）において上記圧縮機（21）の吐出側に接続され、該圧縮機（21）から吐出された冷媒と水とを熱交換させる冷媒/水熱交換器（40）と、上記冷媒回路（20）において上記室内熱交換器（22）のガス側に接続され、上記冷媒/水熱交換器（40）および上記室内熱交換器（22）が凝縮器となり上記室外熱交換器（24）が蒸発器となる給湯暖房運転において、上記冷媒/水熱交換器（40）を通過した冷媒をガス冷媒と液冷媒とに分離し、該ガス冷媒を上記室内熱交換器（22）のガス側へ供給し、該液冷媒を上記液冷媒通路（PR1）へ供給することができるように構成されている気液分離器（50）と、上記気液分離器（50）から上記液冷媒通路（PR1）へ供給される液冷媒の流量を調節可能な流量調節弁（51）と、制御部（60）とを備え、上記制御部（60）は、上記給湯暖房運転において、上記室外熱交換器（24）の液側冷媒温度が該室外熱交換器（24）の吸込空気温度よりも低く、且つ、該室外熱交換器（24）の液側冷媒温度と該室外熱交換器（24）の吸込空気温度との差が予め設定された温度差閾値を大きくなっている場合に、上記流量調節弁（51）の開度を増加させることを特徴とする給湯空調システムである。
【０００７】
上記第１の発明では、気液分離器（50）を設けることにより、給湯暖房運転において室内熱交換器（22）へ向かう液冷媒の流量を低減することができる。これにより、室内熱交換器（22）における液溜まり（液冷媒の溜まり込み）の発生を抑制することができる。
【０００８】
また、上記第１の発明では、流量調節弁（51）を設けることにより、気液分離器（50）に溜まり込む液冷媒の量を調節することができる。これにより、冷媒回路（20）における冷媒の循環量を調節することができる。
【０００９】
また、上記第１の発明では、給湯暖房運転において気液分離器（50）に液冷媒が過剰に溜まり込んで気液分離器（50）から室内熱交換器（22）へ液冷媒が溢れ出すと、室内熱交換器（22）に液冷媒が溜まり込んで室内熱交換器（22）の加熱能力が低下してしまう。また、気液分離器（50）に液冷媒が過剰に溜まり込むことにより、冷媒回路（20）における冷媒循環量が減少してしまう。そのため、室内熱交換器（22）の加熱能力を増加させるために圧縮機（21）の回転数を増加させて、室外熱交換器（24）における蒸発圧力を室外熱交換器（24）の吸込空気温度（すなわち、室外空気温度）に対して最適な圧力に設定したとしても、圧縮機（21）に吸入される冷媒量を確保することができない。その結果、圧縮機（21）の吸込容積と冷媒の体積流量とが釣り合うようになるまで、室外熱交換器（24）における蒸発圧力が低下することになるので、室外熱交換器（24）の液側冷媒温度が室外熱交換器（24）の吸込空気温度よりも低くなり過ぎる場合がある。そこで、給湯暖房運転において、室外熱交換器（24）の液側冷媒温度が室外熱交換器（24）の吸込空気温度よりも低く、且つ、室外熱交換器（24）の液側冷媒温度と室外熱交換器（24）の吸込空気温度との差が予め設定された温度差閾値を大きくなっている場合に、流量調節弁（51）の開度を増加させることにより、気液分離器（50）に液冷媒が過剰に溜まり込んでいる場合に、液冷媒通路（PR1）への液冷媒の排出を促進させることができる。これにより、気液分離器（50）における過剰な液溜まりを抑制することができる。
【００１０】
第２の発明は、圧縮機（21）と、室内熱交換器（22）と、室外熱交換器（24）と、該室内熱交換器（22）の液端と該室外熱交換器（24）の液端とを接続する液冷媒通路（PR1）に設けられた膨張弁（23）とを有する冷媒回路（20）と、上記冷媒回路（20）において上記圧縮機（21）の吐出側に接続され、該圧縮機（21）から吐出された冷媒と水とを熱交換させる冷媒/水熱交換器（40）と、上記冷媒回路（20）において上記室内熱交換器（22）のガス側に接続され、上記冷媒/水熱交換器（40）および上記室内熱交換器（22）が凝縮器となり上記室外熱交換器（24）が蒸発器となる給湯暖房運転において、上記冷媒/水熱交換器（40）を通過した冷媒をガス冷媒と液冷媒とに分離し、該ガス冷媒を上記室内熱交換器（22）のガス側へ供給し、該液冷媒を上記液冷媒通路（PR1）へ供給することができるように構成されている気液分離器（50）と、上記気液分離器（50）から上記液冷媒通路（PR1）へ供給される液冷媒の流量を調節可能な流量調節弁（51）と、上記冷媒回路（20）において上記圧縮機（21）と上記冷媒/水熱交換器（40）との間に接続されるとともに、該冷媒回路（20）において上記気液分離器（50）と上記室内熱交換器（22）との間に接続され、該圧縮機（21）と該冷媒/水熱交換器（40）との間を流れる冷媒と該気液分離器（50）と該室内熱交換器（22）との間を流れる冷媒とを熱交換させる補助熱交換器（70）と、制御部（60）とを備え、上記制御部（60）は、上記給湯暖房運転において、上記気液分離器（50）と上記補助熱交換器（70）との間を流れる冷媒の温度と該補助熱交換器（70）と上記室内熱交換器（22）との間を流れる冷媒の温度との差が予め設定された温度差閾値よりも小さくなっている場合に、上記流量調節弁（51）の開度を増加させることを特徴とする給湯空調システムである。
【００１１】
上記第２の発明では、気液分離器（50）を設けることにより、給湯暖房運転において室内熱交換器（22）へ向かう液冷媒の流量を低減することができる。これにより、室内熱交換器（22）における液溜まり（液冷媒の溜まり込み）の発生を抑制することができる。
【００１２】
また、上記第２の発明では、流量調節弁（51）を設けることにより、気液分離器（50）に溜まり込む液冷媒の量を調節することができる。これにより、冷媒回路（20）における冷媒の循環量を調節することができる。
【００１３】
また、上記第２の発明では、給湯暖房運転において気液分離器（50）に液冷媒が過剰に溜まり込んで気液分離器（50）から補助熱交換器（70）の第２冷媒通路部（70b）を通過して室内熱交換器（22）へ液冷媒が溢れ出すと、室内熱交換器（22）に液冷媒が溜まり込んで室内熱交換器（22）の加熱能力が低下してしまう。また、気液分離器（50）に液冷媒が過剰に溜まり込んで気液分離器（50）から補助熱交換器（70）の第２冷媒通路部（70b）を通過して室内熱交換器（22）へ液冷媒が溢れ出している場合、補助熱交換器（70）の第２冷媒通路部（70b）を流れる冷媒の乾き度（ガス冷媒の割合）が低くなっている。そのため、補助熱交換器（70）の第２冷媒通路部（70b）を流れる冷媒を加熱しても冷媒の温度が上昇しにくく、気液分離器（50）と補助熱交換器（70）との間を流れる冷媒の温度と補助熱交換器（70）と室内熱交換器（22）との間を流れる冷媒の温度との差が小さくなりやすい傾向にある。そこで、給湯暖房運転において気液分離器（50）と補助熱交換器（70）との間を流れる冷媒の温度と補助熱交換器（70）と室内熱交換器（22）との間を流れる冷媒の温度との差が温度差閾値よりも小さくなっている場合に、流量調節弁（51）の開度を増加させることにより、気液分離器（50）に液冷媒が過剰に溜まり込んでいる場合に、液冷媒通路（PR1）への液冷媒の排出を促進させることができる。これにより、気液分離器（50）における過剰な液溜まりを抑制することができる。
【００１４】
第３の発明は、上記第１または第２の発明において、上記液冷媒通路（PR1）は、上記室内熱交換器（22）の液端と上記膨張弁（23）とを接続する第１通路部（PR11）と、該膨張弁（23）と上記室内熱交換器（22）の液端とを接続する第２通路部（PR12）とを有し、上記気液分離器（50）は、上記液冷媒を上記液冷媒通路（PR1）の第１通路部（PR11）に供給することができるように構成されていることを特徴とする給湯空調システムである。
【００１５】
上記第３の発明では、気液分離器（50）を設けることにより、給湯暖房運転において室内熱交換器（22）へ向かう液冷媒の流量を低減することができる。また、液冷媒通路（PR1）の第１通路部（PR11）と気液分離器（50）との間の圧力差は、液冷媒通路（PR1）の第２通路部（PR12）と気液分離器（50）との間の圧力差よりも小さくなっている。
【００１６】
第４の発明は、上記第１または第２の発明において、上記液冷媒通路（PR1）は、上記室内熱交換器（22）の液端と上記膨張弁（23）とを接続する第１通路部（PR11）と、該膨張弁（23）と上記室内熱交換器（22）の液端とを接続する第２通路部（PR12）とを有し、上記気液分離器（50）は、上記液冷媒を上記液冷媒通路（PR1）の第２通路部（PR12）に供給することができるように構成されていることを特徴とする給湯空調システムである。
【００１７】
上記第４の発明では、気液分離器（50）を設けることにより、給湯暖房運転において室内熱交換器（22）へ向かう液冷媒の流量を低減することができる。また、液冷媒通路（PR1）の第２通路部（PR12）と気液分離器（50）との間の圧力差は、液冷媒通路（PR1）の第１通路部（PR11）と気液分離器（50）との間の圧力差よりも大きくなっている。
【発明の効果】
【００１８】
第１または第２の発明によれば、暖房運転において、室内熱交換器（22）における液溜まりの発生を抑制することができるので、室内熱交換器（22）の液溜まりに起因する室内熱交換器（22）の加熱能力の低下を抑制することができる。
【００１９】
第３の発明によれば、液冷媒通路（PR1）の第１通路部（PR11）と気液分離器（50）との間の圧力差が小さくなっているので、気液分離器（50）から液冷媒通路（PR1）へ供給される冷媒の流量の変動を抑制することができる。
【００２０】
第４の発明によれば、液冷媒通路（PR1）の第２通路部（PR12）と気液分離器（50）との間の圧力差が大きくなっているので、気液分離器（50）から液冷媒通路（PR1）への冷媒の供給を促進させることができる。
【００２１】
また、第１または第２の発明によれば、冷媒回路（20）における冷媒の循環量を調節することができるので、暖房運転において室内熱交換器（22）の加熱能力を適切に調節することができる。
【００２２】
また、第１および第２の発明によれば、気液分離器（50）における過剰な液溜まりを抑制することができるので、気液分離器（50）における過剰な液溜まりに起因する室内熱交換器（22）の加熱能力の低下を抑制することができる。
【図面の簡単な説明】
【００２３】
【図１】給湯空調システムの構成例を示した配管系統図。
【図２】給湯空調システムの変形例１を示した配管系統図。
【図３】給湯空調システムの変形例２を示した配管系統図。
【発明を実施するための形態】
【００２４】
以下、実施の形態を図面を参照して詳しく説明する。なお、図中同一または相当部分には同一の符号を付しその説明は繰り返さない。
【００２５】
（給湯空調システム）
図１は、実施形態による給湯空調システム（10）の構成例を示している。この給湯空調システム（10）は、室内の空調（暖房と冷房）と給湯（温水の供給）とを行うものであり、冷媒回路（20）と、水通路（30）と、冷媒/水熱交換器（40）と、気液分離器（50）と、流量調節弁（51）と、コントローラ（60）とを備えている。また、この給湯空調システム（10）には、冷媒吐出温度センサ（61）と、室内空気温度センサ（62）と、液側冷媒温度センサ（63）と、室外空気温度センサ（64）とが設けられている。
【００２６】
〔冷媒回路〕
冷媒回路（20）は、冷媒を循環させる閉回路であり、圧縮機（21）と、室内熱交換器（22）と、膨張弁（23）と、室外熱交換器（24）と、四方切換弁（25）とを備えている。また、室内熱交換器（22）の近傍には、室内熱交換器（22）へ室内空気を搬送する室内ファン（26）が設けられ、室外熱交換器（24）の近傍の近傍には、室外熱交換器（24）へ室外空気を搬送する室外ファン（27）が設けられている。例えば、室内ファン（26）は、クロスフローファンによって構成され、室外ファン（27）は、プロペラファンによって構成されている。
【００２７】
圧縮機（21）は、吸入した冷媒を圧縮して吐出するものであり、その回転数（容積）を調節可能に構成されている。例えば、圧縮機（21）は、圧縮機構と電動機とが一つのケーシングに収容された全密閉型圧縮機によって構成されている。
【００２８】
室内熱交換器（22）は、室内ファン（26）によって搬送された室内空気と冷媒とを熱交換させる。例えば、室内熱交換器（22）は、クロスフィン型の熱交換器によって構成されている。
【００２９】
膨張弁（23）は、冷媒を膨張させて減圧させる膨張機構であり、その開度を調節可能に構成されている。例えば、膨張弁（23）は、電子弁によって構成されている。
【００３０】
室外熱交換器（24）は、室外ファン（27）によって搬送された室外空気と冷媒とを熱交換させる。例えば、室外熱交換器（24）は、クロスフィン型の熱交換器によって構成されている。
【００３１】
四方切換弁（25）は、第１〜第４ポートを有する。また、四方切換弁（25）は、第１ポートと第３ポートとを連通させて第２ポートと第４ポートとを連通させる第１状態（図１の実線で示す状態）と、第１ポートと第４ポートとを連通させて第２ポートと第３ポートとを連通させる第２状態（図１の破線で示す状態）とに設定可能に構成されている。
【００３２】
冷媒回路（20）では、四方切換弁（25）の第１ポートに圧縮機（21）の吐出端が接続され、四方切換弁（25）の第２ポートに圧縮機（21）の吸入端が接続され、四方切換弁（25）の第３ポートから第４ポートへ向けて室内熱交換器（22）と膨張弁（23）と室外熱交換器（24）とが順に接続されている。
【００３３】
膨張弁（23）は、室内熱交換器（22）の液端と室外熱交換器（24）の液端とを接続する液冷媒通路（PR1）に設けられている。具体的には、液冷媒通路（PR1）は、室内熱交換器（22）の液端と膨張弁（23）とを接続する第１通路部（PR11）と、膨張弁（23）と室外熱交換器（24）の液端とを接続する第２通路部（PR12）とによって構成されている。液冷媒通路（PR1）の第１通路部（PR11）および第２通路部（PR12）は、例えば、冷媒を流通可能な冷媒管によって構成されている。
【００３４】
〔水通路〕
水通路（30）は、水を流通させる通路であり、給水管（PWa）と出水管（PWb）と第１水管（PW1）と第２水管（PW2）とを備えている。また、水通路（30）には、第１開閉弁（31）と第２開閉弁（32）と補助加熱器（33）とが設けられている。
【００３５】
給水管（PWa）は、外部から水が供給される水管であり、その流入端が外部（例えば、水道栓などの給水源、図示を省略）に接続されている。出水管（PWb）は、外部へ水を供給するための水管であり、その流出端が出水ノズル（図示を省略）に接続されている。
【００３６】
第１水管（PW1）および第２水管（PW2）は、給水管（PWa）の流出端と出水管（PWb）の流入端との間に並列に接続されている。第１開閉弁（31）および第２開閉弁（32）は、第１水管（PW1）および第２水管（PW2）にそれぞれ設けられる。例えば、第１開閉弁（31）および第２開閉弁（32）は、電磁弁によって構成されている。補助加熱器（33）は、出水管（PWb）に設けられ、出水管（PWb）を通過する水を加熱する。例えば、補助加熱器（33）は、燃焼バーナによって構成されている。
【００３７】
〔冷媒/水熱交換器〕
冷媒/水熱交換器（40）は、冷媒回路（20）において圧縮機（21）の吐出側に接続されるとともに水通路（30）に接続され、圧縮機（21）から吐出された冷媒と水通路（30）を流れる水とを熱交換させるように構成されている。この例では、冷媒/水熱交換器（40）は、冷媒回路（20）の圧縮機（21）の吐出端と四方切換弁（25）の第１ポートとの間の冷媒通路に組み込まれる冷媒通路部（40a）と、水通路（30）の第１水管（PW1）に組み込まれる水通路部（40b）とを有し、冷媒通路部（40a）を流れる冷媒と水通路部（40b）を流れる水とを熱交換させる。例えば、冷媒/水熱交換器（40）は、プレート式の熱交換器によって構成されている。
【００３８】
〔気液分離器〕
気液分離器（50）は、冷媒回路（20）において室内熱交換器（22）のガス側に接続される。そして、気液分離器（50）は、暖房運転（室内熱交換器（22）が凝縮器となり室外熱交換器（24）が蒸発器となる運転）において、冷媒/水熱交換器（40）を通過した冷媒をガス冷媒と液冷媒とに分離し、ガス冷媒を室内熱交換器（22）のガス側へ供給し、液冷媒を液冷媒通路（PR1）へ供給することができるように構成されている。なお、暖房運転については、後で詳しく説明する。
【００３９】
この例では、気液分離器（50）は、両端が閉塞された円筒状に形成されて起立した状態で設置され、その胴部（または上部）に第１ガス端（50a）と第２ガス端（50b）とが設けられ、その底部に液流出端（50c）が設けられている。そして、気液分離器（50）は、第１ガス端（50a）および第２ガス端（50b）のいずれか一方から流入した冷媒（二相冷媒）を重力によりガス冷媒と液冷媒とに分離し、液冷媒を第１ガス端（50a）および第２ガス端（50b）のいずれか他方から流出するとともに、液冷媒を液流出端（50c）から流出するように構成されている。
【００４０】
また、この例では、気液分離器（50）は、液冷媒を液冷媒通路（PR1）の第１通路部（PR11）に供給することができるように構成されている。すなわち、気液分離器（50）は、液冷媒通路（PR1）の第１通路部（PR11）および第２通路部（PR12）のうち暖房運転において高圧側となる通路部に液冷媒を供給することができるように構成されている。具体的には、気液分離器（50）は、その第１ガス端（50a）が四方切換弁（25）の第３ポートに接続され、その第２ガス端（50b）が室内熱交換器（22）のガス端に接続され、その液流出端（50c）が液冷媒通路（PR1）の第１通路部（PR11）に接続されている。
【００４１】
〔流量調節弁〕
流量調節弁（51）は、気液分離器（50）から液冷媒通路（PR1）へ供給される液冷媒の流量を調節可能に構成されている。例えば、流量調節弁（51）は、電動弁によって構成されている。この例では、流量調節弁（51）は、気液分離器（50）の液流出端（50c）と液冷媒通路（PR1）の第１通路部（PR11）とを接続する冷媒通路（冷媒管）に組み込まれ、気液分離器（50）から液冷媒通路（PR1）の第１通路部（PR11）へ供給される液冷媒の流量を調節可能に構成されている。
【００４２】
〔各種センサ〕
冷媒吐出温度センサ（61）は、圧縮機（21）の冷媒吐出温度（すなわち、圧縮機（21）から吐出される冷媒の温度）を検知する。例えば、冷媒吐出温度センサ（61）は、圧縮機（21）の吐出端の近傍に設置され、設置場所の冷媒温度を圧縮機（21）の冷媒吐出温度として検知する。
【００４３】
室内空気温度センサ（62）は、室内熱交換器（22）の吸込空気温度（すなわち、室内熱交換器（22）に吸い込まれる室内空気の温度）を検知する。例えば、室内空気温度センサ（62）は、室内熱交換器（22）の空気の流れ方向の上流側に設置され、設置場所の空気温度を室内熱交換器（22）の吸込空気温度として検知する。
【００４４】
液側冷媒温度センサ（63）は、室外熱交換器（24）の液側冷媒温度（すなわち、室外熱交換器（24）の液側における冷媒温度）を検知する。例えば、液側冷媒温度センサ（63）は、室外熱交換器（24）の液端の近傍に設置され、設置場所の冷媒温度を室外熱交換器（24）の液側冷媒温度として検知する。
【００４５】
室外空気温度センサ（64）は、室外熱交換器（24）の吸込空気温度（すなわち、室外熱交換器（24）に吸い込まれる室外空気の温度）を検知する。例えば、室外空気温度センサ（64）は、室外熱交換器（24）の空気の流れ方向の上流側に設置され、設置場所の空気温度を室外熱交換器（24）の吸込空気温度として検知する。
【００４６】
〔コントローラ〕
コントローラ（60）は、給湯空調システム（10）の各部を制御して給湯空調システム（10）の運転動作を制御する。例えば、コントローラ（60）は、マイクロコンピュータや、マイクロコンピュータを動作させるためのプログラムを格納するメモリなどによって構成されている。この給湯空調システム（10）では、２種類の暖房運転（給湯暖房運転と単純暖房運転）と、２種類の冷房運転（給湯冷房運転と単純冷房運転）とが行われる。
【００４７】
〔給湯暖房運転〕
給湯暖房運転では、室内の暖房と給湯（具体的には、冷媒/水熱交換器（40）において加熱された水の供給）の両方が行われる。給湯暖房運転では、コントローラ（60）は、給湯暖房制御を行う。給湯暖房制御では、コントローラ（60）は、四方切換弁（25）を第１状態に設定する。これにより、給湯暖房運転において、圧縮機（21）の吐出端が冷媒/水熱交換器（40）と気液分離器（50）とを介して室内熱交換器（22）のガス端に接続され、圧縮機（21）の吸入端が室外熱交換器（24）のガス端に接続される。
【００４８】
また、給湯暖房制御では、コントローラ（60）は、流量調節弁（51）の開度を開状態（液冷媒のみを通過させることが可能な開度）に設定し、圧縮機（21）と室外ファン（27）と室内ファン（26）とを駆動状態に設定し、室内熱交換器（22）が凝縮器となり室外熱交換器（24）が蒸発器となるように膨張弁（23）の開度を調節する。また、コントローラ（60）は、第１開閉弁（31）を開状態に設定し、第２開閉弁（32）を閉状態に設定する。これにより、水通路（30）では、給水管（PWa）から流出した水が第１水管（PW1）を通過して出水管（PWb）に流入する。
【００４９】
冷媒回路（20）では、圧縮機（21）から吐出された冷媒は、冷媒/水熱交換器（40）の冷媒通路部（40a）において冷媒/水熱交換器（40）の水通路部（40b）を流れる水に放熱して凝縮する。冷媒/水熱交換器（40）の冷媒通路部（40a）を通過した冷媒は、四方切換弁（25）を通過した後に、気液分離器（50）においてガス冷媒と液冷媒とに分離される。気液分離器（50）から流出したガス冷媒（または、ガス冷媒を主に含む気液二相冷媒）は、室内熱交換器（22）において室内空気に放熱して凝縮する。これにより、室内空気が加熱され、室内が暖房される。室内熱交換器（22）を通過した冷媒は、気液分離器（50）から流出して流量調節弁（51）を通過した液冷媒と合流した後に、膨張弁（23）において減圧される。膨張弁（23）を通過した冷媒は、室外熱交換器（24）において室外空気から吸熱して蒸発する。室外熱交換器（24）を通過した冷媒は、四方切換弁（25）を通過した後に、圧縮機（21）に吸入されて圧縮される。
【００５０】
水通路（30）では、給水管（PWa）に供給された水は、第１水管（PW1）に組み込まれた冷媒/水熱交換器（40）の水通路部（40b）において冷媒/水熱交換器（40）の冷媒通路部（40a）を流れる冷媒から熱を付与される。これにより、冷媒/水熱交換器（40）の水通路部（40b）を流れる水が加熱され、温水が生成される。冷媒/水熱交換器（40）の水通路部（40b）を通過した水は、出水管（PWb）を通過して外部へ供給される。このようにして、温水が供給される。
【００５１】
以上のように、給湯暖房制御により、冷媒/水熱交換器（40）において冷媒が水に放熱して水が加熱され、室内熱交換器（22）において冷媒が室内空気に放熱して室内空気が加熱されるので、室内の暖房と給湯（温水の供給）の両方を行うことができる。
【００５２】
〈膨張弁の開度調節〉
なお、給湯暖房制御では、コントローラ（60）は、冷媒吐出温度センサ（61）によって検知される圧縮機（21）の冷媒吐出温度を監視し、圧縮機（21）の冷媒吐出温度が予め設定された目標吐出温度となるように膨張弁（23）の開度を調節する。
【００５３】
例えば、圧縮機（21）の冷媒吐出温度が目標吐出温度よりも高い場合、コントローラ（60）は、膨張弁（23）の開度を増加させる。これにより、室外熱交換器（24）を通過する冷媒の流量が増加して圧縮機（21）に吸入される冷媒の過熱度が小さくなる。その結果、圧縮機（21）の吐出冷媒温度が低下して目標吐出温度に近づく。一方、圧縮機（21）の冷媒吐出温度が目標吐出温度よりも低い場合、コントローラ（60）は、膨張弁（23）の開度を減少させる。
【００５４】
これにより、冷媒回路（20）では、室内熱交換器（22）が凝縮器となり室外熱交換器（24）が蒸発器となる冷凍サイクルが行われる。また、圧縮機（21）の冷媒吐出温度を管理することにより、圧縮機（21）の高温異常の発生を防止することができる。
【００５５】
〈圧縮機の容量制御〉
また、給湯暖房制御では、コントローラ（60）は、室内空気温度センサ（62）によって検知される室内熱交換器（22）の吸込空気温度を監視し、室内熱交換器（22）の吸込空気温度が予め設定された目標暖房温度（例えば、ユーザによって設定された暖房設定温度）となるように圧縮機（21）の回転数を制御する。
【００５６】
例えば、室内熱交換器（22）の吸込空気温度が目標暖房温度よりも低い場合、コントローラ（60）は、圧縮機（21）の回転数を増加させる。これにより、冷媒回路（20）における冷媒の循環量が増加して室内熱交換器（22）の加熱能力（冷媒の単位時間当たりの放熱量）が増加する。その結果、室内空気の温度が上昇して室内熱交換器（22）の吸込空気温度が目標暖房温度に近づく。そして、室内熱交換器（22）の吸込空気温度が目標暖房温度よりも高くなると、コントローラ（60）は、圧縮機（21）を停止させる。
【００５７】
〔単純暖房運転〕
単純暖房運転では、室内の暖房が行われるが、給湯（具体的には、冷媒/水熱交換器（40）において加熱された水の供給）は行われない。単純暖房運転では、コントローラ（60）は、単純暖房制御を行う。単純暖房制御では、コントローラ（60）は、給湯暖房制御と同様に、四方切換弁（25）を第１状態に設定する。これにより、単純暖房運転において、圧縮機（21）の吐出端が冷媒/水熱交換器（40）と気液分離器（50）とを介して室内熱交換器（22）のガス端に接続され、圧縮機（21）の吸入端が室外熱交換器（24）のガス端に接続される。
【００５８】
また、単純暖房制御では、コントローラ（60）は、流量調節弁（51）の開度を閉状態に設定し、圧縮機（21）と室外ファン（27）と室内ファン（26）とを駆動状態に設定し、室内熱交換器（22）が凝縮器となり室外熱交換器（24）が蒸発器となるように膨張弁（23）の開度を調節する。また、コントローラ（60）は、第２開閉弁（32）を開状態に設定し、第１開閉弁（31）を閉状態に設定する。これにより、水通路（30）では、給水管（PWa）から流出した水が第２水管（PW2）を通過して出水管（PWb）に流入する。すなわち、第１水管（PW1）に組み込まれた冷媒/水熱交換器（40）の水通路部（40b）には、水が流れない。
【００５９】
冷媒回路（20）では、圧縮機（21）から吐出された冷媒は、冷媒/水熱交換器（40）と四方切換弁（25）と気液分離器（50）とを順に通過した後に、室内熱交換器（22）において室内空気に放熱して凝縮する。これにより、室内空気が加熱され、室内が暖房される。室内熱交換器（22）を通過した冷媒は、膨張弁（23）において減圧される。膨張弁（23）を通過した冷媒は、室外熱交換器（24）において室外空気から吸熱して蒸発する。室外熱交換器（24）を通過した冷媒は、四方切換弁（25）を通過した後に、圧縮機（21）に吸入されて圧縮される。
【００６０】
以上のように、単純暖房制御により、室内熱交換器（22）において冷媒が室内空気に放熱して室内空気が加熱されるので、室内の暖房を行うことができる。
【００６１】
〈膨張弁の開度調節〉
なお、単純暖房制御では、コントローラ（60）は、給湯暖房制御と同様に、圧縮機（21）の冷媒吐出温度が予め設定された目標吐出温度となるように膨張弁（23）の開度を調節する。これにより、冷媒回路（20）では、室内熱交換器（22）が凝縮器となり室外熱交換器（24）が蒸発器となる冷凍サイクルが行われる。
【００６２】
〈圧縮機の容量制御〉
また、単純暖房制御では、コントローラ（60）は、給湯暖房制御と同様に、室内熱交換器（22）の吸込空気温度が予め設定された目標暖房温度となるように圧縮機（21）の回転数を制御する。
【００６３】
〔給湯冷房運転〕
給湯冷房運転では、室内の冷房と給湯（具体的には、冷媒/水熱交換器（40）において加熱された水の供給）の両方が行われる。給湯冷房運転では、コントローラ（60）は、給湯冷房制御を行う。給湯冷房制御では、コントローラ（60）は、四方切換弁（25）を第２状態に設定する。これにより、給湯冷房運転において、圧縮機（21）の吐出端が室外熱交換器（24）のガス端に接続され、圧縮機（21）の吸入端が冷媒/水熱交換器（40）と気液分離器（50）とを介して室内熱交換器（22）のガス端に接続される。
【００６４】
また、給湯冷房制御では、コントローラ（60）は、流量調節弁（51）の開度を閉状態に設定し、圧縮機（21）と室外ファン（27）と室内ファン（26）とを駆動状態に設定し、室外熱交換器（24）が凝縮器となり室内熱交換器（22）が蒸発器となるように膨張弁（23）の開度を調節する。また、コントローラ（60）は、第１開閉弁（31）を開状態に設定し、第２開閉弁（32）を閉状態に設定する。これにより、水通路（30）では、給水管（PWa）から流出した水が第１水管（PW1）を通過して出水管（PWb）に流入する。
【００６５】
冷媒回路（20）では、圧縮機（21）から吐出された冷媒は、冷媒/水熱交換器（40）の冷媒通路部（40a）において冷媒/水熱交換器（40）の水通路部（40b）を流れる水に放熱して凝縮する。冷媒/水熱交換器（40）の冷媒通路部（40a）を通過した冷媒は、四方切換弁（25）を通過した後に、室外熱交換器（24）において室外空気に放熱して凝縮する。室外熱交換器（24）を通過した冷媒は、膨張弁（23）において減圧された後に、室内熱交換器（22）において室内空気から吸熱して蒸発する。これにより、室内空気が冷却され、室内が冷房される。室内熱交換器（22）を通過した冷媒は、気液分離器（50）と四方切換弁（25）とを順に通過した後に、圧縮機（21）に吸入されて圧縮される。
【００６６】
水通路（30）では、給水管（PWa）に供給された水は、第１水管（PW1）に組み込まれた冷媒/水熱交換器（40）の水通路部（40b）において冷媒/水熱交換器（40）の冷媒通路部（40a）を流れる冷媒から熱を付与される。これにより、冷媒/水熱交換器（40）の水通路部（40b）を流れる水が加熱され、温水が生成される。冷媒/水熱交換器（40）の水通路部（40b）を通過した水は、出水管（PWb）を通過して外部へ供給される。このようにして、温水が供給される。
【００６７】
以上のように、給湯冷房制御により、冷媒/水熱交換器（40）において冷媒が水に放熱して水が加熱され、室内熱交換器（22）において冷媒が室内空気から吸熱して室内空気が冷却されるので、室内の冷房と給湯（温水の供給）の両方を行うことができる。
【００６８】
〈膨張弁の開度調節〉
なお、給湯冷房制御では、コントローラ（60）は、給湯暖房制御と同様に、圧縮機（21）の冷媒吐出温度が予め設定された目標吐出温度となるように膨張弁（23）の開度を調節する。これにより、冷媒回路（20）では、室外熱交換器（24）が凝縮器となり室内熱交換器（22）が蒸発器となる冷凍サイクルが行われる。
【００６９】
〈圧縮機の容量制御〉
また、給湯冷房制御では、コントローラ（60）は、室内空気温度センサ（62）によって検知される室内熱交換器（22）の吸込空気温度を監視し、室内熱交換器（22）の吸込空気温度が予め設定された目標冷房温度（例えば、ユーザによって設定された冷房設定温度）となるように圧縮機（21）の回転数を制御する。
【００７０】
例えば、室内熱交換器（22）の吸込空気温度が目標暖冷房温度よりも高い場合、コントローラ（60）は、圧縮機（21）の回転数を増加させる。これにより、冷媒回路（20）における冷媒の循環量が増加して室内熱交換器（22）の冷却能力（冷媒の単位時間当たりの吸熱量）が増加する。その結果、室内空気の温度が低下して室内熱交換器（22）の吸込空気温度が目標冷房温度に近づく。そして、室内熱交換器（22）の吸込空気温度が目標冷房温度よりも低くなると、コントローラ（60）は、圧縮機（21）を停止させる。
【００７１】
〔単純冷房運転〕
単純冷房運転では、室内の冷房が行われるが、給湯（具体的には、冷媒/水熱交換器（40）において加熱された水の供給）は行われない。単純冷房運転では、コントローラ（60）は、単純冷房制御を行う。単純冷房制御では、コントローラ（60）は、給湯冷房制御と同様に、四方切換弁（25）を第２状態に設定する。これにより、単純冷房運転において、圧縮機（21）の吐出端が室外熱交換器（24）のガス端に接続され、圧縮機（21）の吸入端が冷媒/水熱交換器（40）と気液分離器（50）とを介して室内熱交換器（22）のガス端に接続される。
【００７２】
また、単純冷房制御では、コントローラ（60）は、給湯冷房制御と同様に、流量調節弁（51）の開度を閉状態に設定し、圧縮機（21）と室外ファン（27）と室内ファン（26）とを駆動状態に設定し、室外熱交換器（24）が凝縮器となり室内熱交換器（22）が蒸発器となるように膨張弁（23）の開度を調節する。また、コントローラ（60）は、第２開閉弁（32）を開状態に設定し、第１開閉弁（31）を閉状態に設定する。これにより、水通路（30）では、給水管（PWa）から流出した水が第２水管（PW2）を通過して出水管（PWb）に流入する。すなわち、第１水管（PW1）に組み込まれた冷媒/水熱交換器（40）の水通路部（40b）には、水が流れない。
【００７３】
冷媒回路（20）では、給湯冷房制御と同様に、圧縮機（21）から吐出された冷媒は、冷媒/水熱交換器（40）と四方切換弁（25）とを順に通過した後に、室外熱交換器（24）において室外空気に放熱して凝縮する。室外熱交換器（24）を通過した冷媒は、膨張弁（23）において減圧された後に、室内熱交換器（22）において室内空気から吸熱して蒸発する。これにより、室内空気が冷却され、室内が冷房される。室内熱交換器（22）を通過した冷媒は、気液分離器（50）と四方切換弁（25）とを順に通過した後に、圧縮機（21）に吸入されて圧縮される。
【００７４】
以上のように、単純冷房制御により、室内熱交換器（22）において冷媒が室内空気から吸熱して室内空気が冷却されるので、室内の冷房を行うことができる。
【００７５】
〈膨張弁の開度調節〉
なお、単純冷房制御では、コントローラ（60）は、給湯冷房制御と同様に、圧縮機（21）の冷媒吐出温度が予め設定された目標吐出温度となるように膨張弁（23）の開度を調節する。これにより、冷媒回路（20）では、室外熱交換器（24）が凝縮器となり室内熱交換器（22）が蒸発器となる冷凍サイクルが行われる。
【００７６】
〈圧縮機の容量制御〉
また、単純冷房制御では、コントローラ（60）は、給湯冷房制御と同様に、室内熱交換器（22）の吸込空気温度が予め設定された目標冷房温度となるように圧縮機（21）の回転数を制御する。
【００７７】
〔給湯暖房運転における第１液排出促進動作〕
なお、給湯暖房運転では、気液分離器（50）に液冷媒が過剰に溜まり込んで気液分離器（50）から室内熱交換器（22）へ液冷媒が溢れ出す（すなわち、気液分離器（50）から室内熱交換器（22）へ向かう冷媒に含まれる液冷媒の割合が高くなる）と、室内熱交換器（22）に液冷媒が溜まり込んで（すなわち、室内熱交換器（22）における液冷媒の割合が高くなるとともにガス冷媒の割合が低くなり）室内熱交換器（22）の加熱能力が低下してしまう。
【００７８】
また、気液分離器（50）に液冷媒が過剰に溜まり込むことにより、冷媒回路（20）における冷媒循環量が減少してしまう。そのため、室内熱交換器（22）の加熱能力を増加させるために圧縮機（21）の回転数を増加させて、室外熱交換器（24）における蒸発圧力を室外熱交換器（24）の吸込空気温度（すなわち、室外空気温度）に対して最適な圧力に設定したとしても、圧縮機（21）に吸入される冷媒量を確保することができない。その結果、圧縮機（21）の吸込容積と冷媒の体積流量とが釣り合うようになるまで、室外熱交換器（24）における蒸発圧力が低下することになるので、室外熱交換器（24）の液側冷媒温度が室外熱交換器（24）の吸込空気温度よりも低くなり過ぎる場合がある。
【００７９】
そこで、コントローラ（60）は、給湯暖房運転において第１液排出促進動作を行うように構成されていてもよい。第１液排出促進動作では、コントローラ（60）は、液側冷媒温度センサ（63）および室外空気温度センサ（64）によってそれぞれ検知される室内熱交換器（22）の液側冷媒温度および吸込空気温度を監視し、室外熱交換器（24）の液側冷媒温度が室外熱交換器（24）の吸込空気温度よりも低く、且つ、室外熱交換器（24）の液側冷媒温度と室外熱交換器（24）の吸込空気温度との差が予め設定された温度差閾値を大きくなっている場合に、流量調節弁（51）の開度を増加させる。なお、この温度差閾値（室外熱交換器（24）の液冷媒温度と吸込空気温度との温度差に関する閾値）は、気液分離器（50）から室内熱交換器（22）へ液冷媒が溢れ出すと推定されるときの室外熱交換器（24）の液冷媒温度と吸込空気温度との差に設定されていてもよい。
【００８０】
具体的には、コントローラ（60）は、室外熱交換器（24）の液側冷媒温度が室外熱交換器（24）の吸込空気温度よりも低く、且つ、室外熱交換器（24）の液側冷媒温度と室外熱交換器（24）の吸込空気温度との差が温度差閾値を大きくなっている状態となるまで、流量調節弁（51）の開度を第１開度（液冷媒のみを通過させることが可能な開度）に維持する。そして、コントローラ（60）は、室外熱交換器（24）の液側冷媒温度が室外熱交換器（24）の吸込空気温度よりも低く、且つ、室外熱交換器（24）の液側冷媒温度と室外熱交換器（24）の吸込空気温度との差が温度差閾値を大きくなっている状態となると、流量調節弁（51）の開度を第１開度から第２開度（第１開度よりも大きい開度）に変更する。その後、コントローラ（60）は、流量調節弁（51）の開度を第１開度から第２開度に変更した時点から予め設定された液排出促進時間（例えば、気液分離器（50）における過剰な液冷媒の溜まり込みを解消するために要する時間）が経過するまで、流量調節弁（51）の開度を第２開度のまま維持する。そして、コントローラ（60）は、流量調節弁（51）の開度を第１開度から第２開度に変更した時点から液排出促進時間が経過すると、流量調節弁（51）の開度を第２開度から第１開度に変更する。
【００８１】
〔実施形態による効果〕
以上のように、気液分離器（50）を設けることにより、給湯暖房運転において室内熱交換器（22）へ向かう液冷媒の流量を低減することができる。これにより、室内熱交換器（22）における液溜まり（液冷媒の溜まり込み）の発生を抑制することができるので、暖房運転において室内熱交換器（22）の液溜まりに起因する室内熱交換器（22）の加熱能力の低下を抑制することができる。したがって、給湯暖房運転において室内の暖房を正常に行うことができる。
【００８２】
また、液冷媒通路（PR1）の第１通路部（PR11）と気液分離器（50）との間の圧力差が、液冷媒通路（PR1）の第２通路部（PR12）と気液分離器（50）との間の圧力差よりも小さくなっているので、気液分離器（50）から液冷媒通路（PR1）へ供給される冷媒の流量の変動を抑制することができる。
【００８３】
また、流量調節弁（51）を設けることにより、気液分離器（50）に溜まり込む液冷媒の量を調節することができる。これにより、冷媒回路（20）における冷媒の循環量を調節することができるので、給湯暖房運転において室内熱交換器（22）の加熱能力を適切に調節することができる。
【００８４】
また、給湯暖房運転において第１液排出促進動作を行うことにより、気液分離器（50）に液冷媒が過剰に溜まり込んでいる場合に、流量調節弁（51）の開度を増加させて気液分離器（50）から液冷媒通路（PR1）への液冷媒の排出を促進させることができる。これにより、気液分離器（50）における過剰な液溜まりを抑制することができるので、気液分離器（50）における過剰な液溜まりに起因する室内熱交換器（22）の加熱能力の低下を抑制することができる。
【００８５】
（給湯空調システムの変形例１）
図２に示すように、給湯空調システム（10）は、図１に示した構成に加えて、補助熱交換器（70）と第１冷媒温度センサ（65）と第２冷媒温度センサ（66）とを備えていてもよい。
【００８６】
〔補助熱交換器〕
補助熱交換器（70）は、冷媒回路（20）において圧縮機（21）と冷媒/水熱交換器（40）との間に接続されるとともに、冷媒回路（20）において気液分離器（50）と室内熱交換器（22）との間に接続される。そして、補助熱交換器（70）は、圧縮機（21）と冷媒/水熱交換器（40）との間を流れる冷媒と気液分離器（50）と室内熱交換器（22）との間を流れる冷媒とを熱交換させるように構成されている。この例では、補助熱交換器（70）は、冷媒回路（20）において圧縮機（21）の吐出端と冷媒/水熱交換器（40）の冷媒通路部（40a）の入口端とを接続する冷媒通路（冷媒管）に組み込まれる第１冷媒通路部（70a）と、冷媒回路（20）において気液分離器（50）の第２ガス端（50b）と室内熱交換器（22）のガス端とを接続する冷媒通路（冷媒管）に組み込まれる第２冷媒通路部（70b）とを有し、第１冷媒通路部（70a）を流れる冷媒と第２冷媒通路部（70b）を流れる冷媒とを熱交換させる。
【００８７】
〔第１冷媒温度センサ〕
第１冷媒温度センサ（65）は、気液分離器（50）と補助熱交換器（70）との間を流れる冷媒の温度（以下、「第１冷媒温度」と表記）を検知する。例えば、第１冷媒温度センサ（65）は、補助熱交換器（70）の第２冷媒通路部（70b）の一端（すなわち、気液分離器（50）側の端部）の近傍に設置され、設置場所の冷媒温度を第１冷媒温度として検知する。
【００８８】
〔第２冷媒温度センサ〕
第２冷媒温度センサ（66）は、補助熱交換器（70）と室内熱交換器（22）との間を流れる冷媒の温度（以下、「第２冷媒温度」と表記）を検知する。例えば、第２冷媒温度センサ（66）は、補助熱交換器（70）の第２冷媒通路部（70b）の他端（すなわち、室内熱交換器（22）側の端部）の近傍に設置され、設置場所の冷媒温度を第２冷媒温度として検知する。
【００８９】
〔補助熱交換器における暖房運転時の熱交換〕
暖房運転（給湯暖房運転，単純暖房運転）では、圧縮機（21）から吐出された冷媒は、補助熱交換器（70）の第１冷媒通路部（70a）において補助熱交換器（70）の第２冷媒通路部（70b）を流れる冷媒（すなわち、気液分離器（50）から室内熱交換器（22）へと向かう冷媒）に放熱する。これにより、補助熱交換器（70）の第２冷媒通路部（70b）を流れる冷媒が加熱されるので、第２冷媒温度センサ（66）によって検知される第２冷媒温度は、第１冷媒温度センサ（65）によって検知される第１冷媒温度よりも高くなる。
【００９０】
〔給湯暖房運転における第２液排出促進動作〕
なお、給湯暖房運転では、気液分離器（50）に液冷媒が過剰に溜まり込んで気液分離器（50）から補助熱交換器（70）の第２冷媒通路部（70b）を通過して室内熱交換器（22）へ液冷媒が溢れ出すと、室内熱交換器（22）に液冷媒が溜まり込んで室内熱交換器（22）の加熱能力が低下してしまう。
【００９１】
また、気液分離器（50）に液冷媒が過剰に溜まり込んで気液分離器（50）から補助熱交換器（70）の第２冷媒通路部（70b）を通過して室内熱交換器（22）へ液冷媒が溢れ出している場合、補助熱交換器（70）の第２冷媒通路部（70b）を流れる冷媒の乾き度（ガス冷媒の割合）が低くなっている。そのため、補助熱交換器（70）の第２冷媒通路部（70b）を流れる冷媒を加熱しても冷媒の温度が上昇しにくく、第１冷媒温度と第２冷媒温度との差（すなわち、気液分離器（50）と補助熱交換器（70）との間を流れる冷媒の温度と補助熱交換器（70）と室内熱交換器（22）との間を流れる冷媒の温度との差）が小さくなりやすい傾向にある。
【００９２】
そこで、コントローラ（60）は、給湯暖房制御において第２液排出促進動作を行うように構成されていてもよい。第２液排出促進動作では、コントローラ（60）は、第１冷媒温度センサ（65）および第２冷媒温度センサ（66）によってそれぞれ検知される第１冷媒温度および第２冷媒温度を監視し、第１冷媒温度と第２冷媒温度との差（詳しくは、第２冷媒温度から第１冷媒温度を減算して得られる温度差）が予め設定された温度差閾値よりも小さくなっている場合に、流量調節弁（51）の開度を増加させる。なお、この温度差閾値（第１冷媒温度と第２冷媒温度との差に関する閾値）は、気液分離器（50）から室内熱交換器（22）へ液冷媒が溢れ出すと推定されるときの第１冷媒温度と第２冷媒温度との差（例えば、３℃〜５℃程度）に設定されていてもよい。
【００９３】
具体的には、コントローラ（60）は、第１冷媒温度と第２冷媒温度との差が温度差閾値よりも小さくなっている状態となるまで、流量調節弁（51）の開度を第１開度（液冷媒を通過させることが可能な開度）に維持する。そして、コントローラ（60）は、第１冷媒温度と第２冷媒温度との差が温度差閾値よりも小さくなっている状態となると、流量調節弁（51）の開度を第１開度から第２開度（第１開度よりも大きい開度）に変更する。その後、コントローラ（60）は、流量調節弁（51）の開度を第１開度から第２開度に変更した時点から予め設定された液排出促進時間が経過するまで、流量調節弁（51）の開度を第２開度のまま維持する。そして、コントローラ（60）は、流量調節弁（51）の開度を第１開度から第２開度に変更した時点から液排出促進時間が経過すると、流量調節弁（51）の開度を第２開度から第１開度に変更する。
【００９４】
〔給湯空調システムの変形例１による効果〕
以上のように、給湯暖房運転において第２液排出促進動作を行うことにより、気液分離器（50）に液冷媒が過剰に溜まり込んでいる場合に、流量調節弁（51）の開度を増加させて気液分離器（50）から液冷媒通路（PR1）への液冷媒の排出を促進させることができる。これにより、気液分離器（50）における過剰な液溜まりを抑制することができ、気液分離器（50）における過剰な液溜まりに起因する室内熱交換器（22）の加熱能力の低下を抑制することができる。
【００９５】
（給湯空調システムの変形例２）
図３に示すように、給湯空調システム（10）では、気液分離器（50）は、液冷媒通路（PR1）の第２通路部（PR12）に液冷媒を供給することができるように構成されていてもよい。すなわち、気液分離器（50）は、液冷媒通路（PR1）の第１通路部（PR11）および第２通路部（PR12）のうち暖房運転において低圧側となる通路部に液冷媒を供給することができるように構成されていてもよい。この例では、気液分離器（50）は、その第１ガス端（50a）が四方切換弁（25）の第３ポートに接続され、その第２ガス端（50b）が室内熱交換器（22）のガス端に接続され、その液流出端（50c）が液冷媒通路（PR1）の第２通路部（PR12）に接続されている。また、この例では、流量調節弁（51）は、気液分離器（50）の液流出端（50c）と液冷媒通路（PR1）の第２通路部（PR12）とを接続する冷媒通路（冷媒管）に組み込まれ、気液分離器（50）から液冷媒通路（PR1）の第２通路部（PR12）へ供給される液冷媒の流量を調節可能に構成されている。その他の構成は、図１に示した構成と同様となっている。
【００９６】
以上のように構成した場合も、気液分離器（50）を設けることにより、給湯暖房運転において室内熱交換器（22）の液溜まりに起因する室内熱交換器（22）の加熱能力の低下を抑制することができる。
【００９７】
また、液冷媒通路（PR1）の第２通路部（PR12）と気液分離器（50）との間の圧力差が、液冷媒通路（PR1）の第１通路部（PR11）と気液分離器（50）との間の圧力差よりも大きくなっているので、気液分離器（50）から液冷媒通路（PR1）への冷媒の供給を促進させることができる。
【００９８】
なお、図３に示した給湯空調システム（10）は、図２に示した補助熱交換器（70）と第１冷媒温度センサ（65）と第２冷媒温度センサ（66）とを備えていてもよい。このように構成することにより、コントローラ（60）は、給湯暖房制御において第２液排出促進動作を行うことができる。
【００９９】
（その他の実施形態）
以上の説明では、気液分離器（50）が冷媒回路（20）において四方切換弁（25）の第３ポートと室内熱交換器（22）のガス端との間に設けられている場合を例に挙げたが、気液分離器（50）は、冷媒回路（20）において冷媒/水熱交換器（40）と四方切換弁（25）の第１ポートとの間に設けられていてもよい。例えば、気液分離器（50）は、その第１ガス端（50a）が冷媒/水熱交換器（40）の冷媒通路部（40a）の出口端に接続され、その第２ガス端（50b）が四方切換弁（25）の第１ポートに接続され、その液流出端（50c）が液冷媒通路（PR1）に接続されていてもよい。このように構成した場合も、気液分離器（50）は、給湯暖房運転において、冷媒/水熱交換器（40）を通過した冷媒をガス冷媒と液冷媒とに分離し、ガス冷媒を室内熱交換器（22）のガス側へ供給し、液冷媒を液冷媒通路（PR1）へ供給することが可能である。
【０１００】
また、冷媒回路（20）が四方切換弁（25）を備えている場合を例に挙げたが、冷媒回路（20）は、四方切換弁（25）を備えていなくてもよい。すなわち、給湯空調システム（10）は、圧縮機（21）の吐出側および吸入側と室内熱交換器（22）のガス側および室外熱交換器（24）のガス側との接続状態を切り換えることにより暖房運転（例えば、給湯暖房運転，単純暖房運転）と冷房運転（例えば、給湯冷房運転，単純冷房運転）とを選択的に行うように構成されていてもよいし、圧縮機（21）の吐出端が冷媒/水熱交換器（40）と気液分離器（50）とを介して室内熱交換器（22）のガス端に接続され圧縮機（21）の吸入端が室外熱交換器（24）のガス端に接続されて暖房運転のみを行うように構成されていてもよい。
【０１０１】
また、以上の実施形態を適宜組み合わせて実施してもよい。以上の実施形態は、本質的に好ましい例示であって、本発明、その適用物、あるいはその用途の範囲を制限することを意図するものではない。
【産業上の利用可能性】
【０１０２】
以上説明したように、上述の給湯空調システムは、室内の空調と給湯とを行う給湯空調システムとして有用である。
【符号の説明】
【０１０３】
１０        給湯空調システム
２０        冷媒回路
２１        圧縮機
２２        室内熱交換器
２３        膨張弁
２４        室外熱交換器
２５        四方切換弁
２６        室内ファン
２７        室外ファン
ＰＲ１      液冷媒通路
ＰＲ１１    第１通路部
ＰＲ１２    第２通路部
３０        水通路
３１        第１開閉弁
３２        第２開閉弁
３３        補助加熱器
ＰＷａ      給水管
ＰＷｂ      出水管
ＰＷ１      主水管
ＰＷ２      バイパス水管
４０        冷媒/水熱交換器
４０ａ      冷媒通路部
４０ｂ      水通路部
５０        気液分離器
５１        流量調節弁
６０        コントローラ（制御部）
６１        冷媒吐出温度センサ
６２        室内空気温度センサ
６３        液側冷媒温度センサ
６４        室外空気温度センサ
６５        第１冷媒温度センサ
６６        第２冷媒温度センサ
７０        補助熱交換器
７０ａ      第１冷媒通路部
７０ｂ      第２冷媒通路部
【図１】
0006492580.tif 000002
【図２】
0006492580.tif 000003
【図３】
0006492580.tif 000004